(57)【要約】      （修正有）【課題】パッケージ関連製品や印刷製本加工関連製品の製造に用いられるシート材料の端部を折り返すためのシート端部折返装置においてシート材料を連続送行させずに静止させた状態で確実にシート端部を折り返すことができるシート端部折返し装置の提供。【解決手段】シートＳをそのシート端部Ｓ1 を突出させて水平に載置する水平載置手段と、シート端部Ｓ1 の上下面に対向して垂直方向に突出動作して圧着する上部圧着板と下部圧着板からなる圧着手段と、シート端部の外側に折目ａを介して連設されたシート折返端部Ｓ2 の上面側から下面側に垂直方向に突出動作してシート折返端部Ｓ2 を直角に折り曲げる直角折曲板を備える直角折曲手段と、シート端部Ｓ1 の下面に沿ってシートＳに平行に水平方向に突出動作して直角に折り曲げられたシート折返端部Ｓ2 をシート端部Ｓ1 面に折り返す水平折返板を備える端部折返手段を備える。【選択図】図１
2006056182.tif 000002
【特許請求の範囲】
【請求項１】
シートＳをそのシート端部Ｓ1 を突出させて水平に載置する水平載置手段Ａと、該シート端部Ｓ1 の上下面に互いに対向して対峙し且つ垂直方向に突出動作して圧着する各々上部圧着板１と下部圧着板２からなる圧着手段Ｂと、該圧着手段Ｂに隣接して該シート端部Ｓ1 に折目ａを介して連設されたシート折返端部Ｓ2 の上面側から下面側に垂直方向に突出動作して該シート折返端部Ｓ2 を折目ａを介して直角に折り曲げる直角折曲板３を備える直角折曲手段Ｃと、前記シート折返端部Ｓ2 の外側から該折返端部Ｓ2 とシート端部Ｓ1 の下面に沿って該シートＳに平行に水平方向に突出動作して前記直角に折り曲げられたシート折返端部Ｓ2 を押し曲げながらシート端部Ｓ1 面に折り返し重ね合わせる水平折返板４を備える端部折返手段Ｄとを備え、前記圧着手段Ｂの垂直方向に動作する下部圧着板２と前記直角折曲手段Ｃの垂直方向に動作する直角折曲板３には、前記端部折返手段Ｄの水平方向に動作する水平折返板４が嵌入可能な空間部が形成され、前記端部折返手段Ｄの水平折返板４にて折り返され重ね合わせられたシート端部Ｓ1 とシート折返端部Ｓ2 との重ね合わせ面を前記圧着手段Ｂの上部圧着板１と下部圧着板２の突出動作にて挟み込み圧着して折り返すことを特徴とするシート端部折返装置。
【請求項２】
前記圧着手段Ｂの垂直方向に動作する下部圧着板２と前記直角折曲手段Ｃの垂直方向に動作する直角折曲板３とは、櫛刃と櫛刃空間部とから櫛刃状に形成され、前記端部折返手段Ｄの水平方向に動作する水平折返板４は、前記下部圧着板２と直角折曲板３のそれぞれ櫛刃空間部に嵌入可能であることを特徴とする請求項１記載のシート端部折返装置。
【請求項３】
前記圧着手段Ｂの垂直方向に動作する下部圧着板２と前記直角折曲手段Ｃの垂直方向に動作する直角折曲板３と前記端部折返手段Ｄの水平方向に動作する水平折返板４とは、櫛刃と櫛刃空間部とかる櫛刃状に形成され、前記水平折返板４は、前記下部圧着板２と直角折曲板３のそれぞれ櫛刃空間部に嵌入可能であることを特徴とする請求項１記載のシート端部折返装置。
【請求項４】
前記圧着手段Ｂの上部圧着板１と下部圧着板２とは、前記直角折曲手段Ｃの直角折曲板３によるシート折返端部Ｓ2 の上面側から下面側への垂直方向の突出動作による直角に折り曲げる動作の前に、垂直方向に突出動作してシート端部Ｓ1 を圧着することを特徴とする請求項１乃至３のいずれか１項記載のシート端部折返装置。
【請求項５】
前記圧着手段Ｂの下部圧着板２は、前記直角折曲手段Ｃの直角折曲板３によるシート折返端部Ｓ2 の上面側から下面側への垂直方向の突出動作による直角に折り曲げる動作の前に、垂直方向に突出動作してシート端部Ｓ1 の下面を保持することを特徴とする請求項１乃至３のいずれか１項記載のシート端部折返装置。
【請求項６】
前記シートＳが、紙層の単一素材構成であることを特徴とする請求項１乃至５のいずれか１項記載のシート端部折返装置。
【請求項７】
前記シートＳが、紙層と、該紙層の表面又は裏面にコーティング又はラミネートされた合成樹脂フィルム層との複合素材による層構成であることを特徴とする請求項１乃至５のいずれか１項記載のシート端部折返装置。
【請求項８】
前記シートＳが、紙層と、該紙層の表面又は裏面にラミネートされた合成樹脂フィルム層との複合素材による層構成であって、該シートＳの端部Ｓ1 に折目ａを介して連設された前記シート折返端部Ｓ2 が、前記紙層の表面又は裏面にラミネートされた合成樹脂フィルム層のみを延設することにより形成されていることを特徴とする請求項１乃至５のいずれか１項記載のシート端部折返装置。
【請求項９】
前記シートＳが、紙層と、該紙層の表面又は裏面にコーティング又はラミネートされた合成樹脂層との複合素材による層構成であって、該シートＳの端部Ｓ1 に折目ａを介して連設された折り返しすべきシート折返端部Ｓ2 が、前記紙層１１と合成樹脂層１２との複合素材を、該シート端部Ｓ1 の折目ａから連続して延設することにより形成されていて、その折目ａを挟んでシート端部Ｓ1 からシート折返端部Ｓ2 に亘る紙層１１には、層厚が略半分の厚さに薄く切削加工された切削部１１ａが設けられていることを特徴とする請求項１乃至５のいずれか１項記載のシート端部折返装置。
【発明の詳細な説明】
【技術分野】
【０００１】
本発明は、固体包装用紙器や液体包装用紙製容器などパッケージ関連製品や、印刷製本加工関連製品の製造に用いられるシート材料の端部を折り返すためのシート端部折返装置に関する。
【背景技術】
【０００２】
従来のシート材料の端部を折り返すためのシート端部折返装置としては、各種構造形態の装置があるが、パッケージの容器製函充填密封包装装置や、印刷製本における印刷装置あるいは製本装置などの装置のインライン上に設置されている場合が多い。
【０００３】
また、従来のシート端部折返装置のシート端部の折り返し機構としては、三角ガイド板や折曲ガイド板方式、あるいはロールエッジガイド方式などがあるが、いずれもシートを連続送行移動させながら、送行移動中のシート端部を折り返す方式である。
【０００４】
また、パッケージ関連製品のシート材料としては、梱包運搬用の段ボール箱や紙箱などのケース類を製函するためのブランクシートや、ジュース、酒、牛乳等の飲料を包装する液体包装用の紙製容器などを製函するためのブランクシートや、即席ラーメン等のファーストフードを包装するカップ状容器などを製函するためのブランクシートがある。
【０００５】
これらのブランクシートのうち、飲料など液状内容物を充填包装するための液体包装容器の製函に使用するブランクシートの紙（厚紙）基材シートの片面には、合成樹脂をコーティングしたり、合成樹脂フィルムをラミネートすることにより合成樹脂層が積層されて耐液性が付与されている。
【０００６】
この耐液性を付与した複合材料の矩形状のブランクシートを角筒形状に折り曲げたり、円筒形状に丸めたり、あるいは扇形状のブランクシートを円錐台筒形状のカップ状に丸めたりして、その折り曲げたシート端部や丸めたシート端部を重ね合わせてヒートシールして、箱状、角筒状、円筒状、カップ状等に組み立て製函するものであるが、容器内面側に配置されて液体と接することになるブランクシート端部（端面、エッジ）には、一般的に、耐液性を付与するためにブランクシートの合成樹脂層を外面にして、そのブランクシート端部を折り返すエッジプロテクト処理が施される。
【発明の開示】
【発明が解決しようとする課題】
【０００７】
本発明は、固体包装用紙器や液体包装用紙製容器などパッケージ関連製品や、印刷製本加工関連製品の製造に用いられるシート材料の端部を折り返すためのシート端部折返装置において、シート材料を連続送行させずに静止させた状態で、確実に、そのシート端部を折り返すことができるようにすることにある。
【課題を解決するための手段】
【０００８】
本発明の請求項１に係る発明は、シートＳをそのシート端部Ｓ1 を突出させて水平に載置する水平載置手段Ａと、該シート端部Ｓ1 の上下面に互いに対向して対峙し且つ垂直方向に突出動作して圧着する各々上部圧着板１と下部圧着板２からなる圧着手段Ｂと、該圧着手段Ｂに隣接して該シート端部Ｓ1 に折目ａを介して連設されたシート折返端部Ｓ2 の上面側から下面側に垂直方向に突出動作して該シート折返端部Ｓ2 を折目ａを介して直角に折り曲げる直角折曲板３を備える直角折曲手段Ｃと、前記シート折返端部Ｓ2 の外側から該折返端部Ｓ2 とシート端部Ｓ1 の下面に沿って該シートＳに平行に水平方向に突出動
作して前記直角に折り曲げられたシート折返端部Ｓ2 を押し曲げながらシート端部Ｓ1 面に折り返し重ね合わせる水平折返板４を備える端部折返手段Ｄとを備え、前記圧着手段Ｂの垂直方向に動作する下部圧着板２と前記直角折曲手段Ｃの垂直方向に動作する直角折曲板３には、前記端部折返手段Ｄの水平方向に動作する水平折返板４が嵌入可能な空間部が形成され、前記端部折返手段Ｄの水平折返板４にて折り返され重ね合わせられたシート端部Ｓ1 とシート折返端部Ｓ2 との重ね合わせ面を前記圧着手段Ｂの上部圧着板１と下部圧着板２の突出動作にて挟み込み圧着して折り返すことを特徴とするシート端部折返装置である。
【０００９】
本発明の請求項２に係る発明は、上記請求項１に係るシート端部折返装置において、前記圧着手段Ｂの垂直方向に動作する下部圧着板２と前記直角折曲手段Ｃの垂直方向に動作する直角折曲板３とは、櫛刃と櫛刃空間部とから櫛刃状に形成され、前記端部折返手段Ｄの水平方向に動作する水平折返板４は、前記下部圧着板２と直角折曲板３のそれぞれ櫛刃空間部に嵌入可能であることを特徴とするシート端部折返装置である。
【００１０】
本発明の請求項３に係る発明は、上記請求項１に係るシート端部折返装置において、前記圧着手段Ｂの垂直方向に動作する下部圧着板２と前記直角折曲手段Ｃの垂直方向に動作する直角折曲板３と前記端部折返手段Ｄの水平方向に動作する水平折返板４とは、櫛刃と櫛刃空間部とかる櫛刃状に形成され、前記水平折返板４は、前記下部圧着板２と直角折曲板３のそれぞれ櫛刃空間部に嵌入可能であることを特徴とするシート端部折返装置である。
【００１１】
本発明の請求項４に係る発明は、上記請求項１乃至３のいずれか１項に係るシート端部折返装置において、前記圧着手段Ｂの上部圧着板１と下部圧着板２とは、前記直角折曲手段Ｃの直角折曲板３によるシート折返端部Ｓ2 の上面側から下面側への垂直方向の突出動作による直角に折り曲げる動作の前に、垂直方向に突出動作してシート端部Ｓ1 を圧着することを特徴とするシート端部折返装置である。
【００１２】
本発明の請求項５に係る発明は、上記請求項１乃至３のいずれか１項に係るシート端部折返装置において、前記圧着手段Ｂの下部圧着板２は、前記直角折曲手段Ｃの直角折曲板３によるシート折返端部Ｓ2 の上面側から下面側への垂直方向の突出動作による直角に折り曲げる動作の前に、垂直方向に突出動作してシート端部Ｓ1 の下面を保持することを特徴とするシート端部折返装置である。
【００１３】
本発明の請求項６に係る発明は、上記請求項１乃至５のいずれか１項に係るシート端部折返装置において、前記シートＳが、紙層の単一素材構成であることを特徴とするシート端部折返装置である。
【００１４】
本発明の請求項７に係る発明は、上記請求項１乃至５のいずれか１項に係るシート端部折返装置において、前記シートＳが、紙層と、該紙層の表面又は裏面にコーティング又はラミネートされた合成樹脂フィルム層との複合素材による層構成であることを特徴とするシート端部折返装置である。
【００１５】
本発明の請求項８に係る発明は、上記請求項１乃至５のいずれか１項に係るシート端部折返装置において、前記シートＳが、紙層と、該紙層の表面又は裏面にラミネートされた合成樹脂フィルム層との複合素材による層構成であって、該シートＳの端部Ｓ1 に折目ａを介して連設された前記シート折返端部Ｓ2 が、前記紙層の表面又は裏面にラミネートされた合成樹脂フィルム層のみを延設することにより形成されていることを特徴とするシート端部折返装置である。
【００１６】
本発明の請求項９に係る発明は、上記請求項１乃至５のいずれか１項に係るシート端部折返装置において、前記シートＳが、紙層と、該紙層の表面又は裏面にコーティング又はラミネートされた合成樹脂層との複合素材による層構成であって、該シートＳの端部Ｓ1 に折目ａを介して連設された折り返しすべきシート折返端部Ｓ2 が、前記紙層１１と合成樹脂層１２との複合素材を、該シート端部Ｓ1 の折目ａから連続して延設することにより形成されていて、その折目ａを挟んでシート端部Ｓ1 からシート折返端部Ｓ2 に亘る紙層１１には、層厚が略半分の厚さに薄く切削加工された切削部１１ａが設けられていることを特徴とするシート端部折返装置である。
【発明の効果】
【００１７】
本発明のシート端部折返装置は、図５（ａ）〜（ｃ）に示すように、
１）シートＳをそのシート端部Ｓ1 を突出させて水平に載置する水平載置手段Ａに載置されたシートＳのシート端部Ｓ1 の上下面に互いに対向して対峙し且つ垂直方向に突出動作して圧着する各々上部圧着板１と下部圧着板２からなる圧着手段Ｂと、
２）圧着手段Ｂに隣接して該シート端部Ｓ1 に折目ａを介して連設されたシート折返端部Ｓ2 の上面側から下面側に垂直方向に突出動作して該シート折返端部Ｓ2 を折目ａを介して直角に折り曲げる直角折曲板３を備える直角折曲手段Ｃと、
３）前記シート折返端部Ｓ2 の外側から該シート折返端部Ｓ2 とシート端部Ｓ1 の下面に沿って該シートＳに平行に水平方向に突出動作して前記直角に折り曲げられたシート折返端部Ｓ2 を押し曲げながらシート端部Ｓ1 面に折り返し重ね合わせる水平折返板４を備える端部折返手段Ｄとを備えている。
【００１８】
そのために、まず、直角折曲手段Ｃの直角折曲板３によるシート折返端部Ｓ2 の上面側から下面側への垂直下向き方向の突出動作により、水平状態のシートＳのシート折返端部Ｓ2 を、折目ａを介して、確実に、略垂直方向の下向きに直角形状に折り曲げることができ、その後に直ちに、端部折返手段Ｄの水平折返板４によるシート折返端部Ｓ2 の外側から該シート折返端部Ｓ2 とシート端部Ｓ1 の下面に沿って該シートＳに平行に水平方向の突出動作により、直角形状に折り曲げられて略垂直下向きとなったシート折返端部Ｓ2 面を押し曲げながら、折目ａを介してシート端部Ｓ1 面側に、確実に折り返して重ね合わせることができる。
【００１９】
そして、続いて、圧着手段Ｂの上部圧着板１と下部圧着板２による垂直方向の突出動作により、前記端部折返手段Ｄの水平折返板４の突出状態の継続により折り返し重ね合わせ状態を保持した状態のシート端部Ｓ1 とシート折返端部Ｓ2 とを挟み込み、両シート端部Ｓ1 、Ｓ2 の重ね合わせ面を圧着して折り返すことができる。
【００２０】
本発明のシート端部折返装置は、図１（ａ）に示す紙層１１の単一素材による層構成のシートＳのシート折返端部Ｓ2 や、図２（ａ）に示す紙層１１と該紙層の表面又は裏面にコーティング又はラミネートされた合成樹脂層１２との複合素材による層構成のシートＳのシート折返端部Ｓ2 を、直角折曲手段Ｃの直角折曲板３による、該シート折返端部Ｓ2 の上面側から下面側への垂直下向き方向の突出動作により、水平状態のシートＳのシート折返端部Ｓ2 を、折目ａを介して、確実に、略垂直方向の下向きに直角形状に折り曲げることができ、その後に直ちに、端部折返手段Ｄの水平折返板４によるシート折返端部Ｓ2 の外側から該シート折返端部Ｓ2 とシート端部Ｓ1 の下面に沿って該シートＳに平行に水平方向の突出動作により、直角形状に折り曲げられて略垂直下向きとなったシート折返端部Ｓ2 面を押し曲げながら、折目ａを介してシート端部Ｓ1 面側に、確実に折り返して重ね合わせることができる。
【００２１】
そして、続いて、圧着手段Ｂの上部圧着板１と下部圧着板２による垂直方向の突出動作により、前記端部折返手段Ｄの水平折返板４の突出状態の継続により折り返し重ね合わせ
状態を保持した状態のシート端部Ｓ1 とシート折返端部Ｓ2 とを挟み込み、両シート端部Ｓ1 、Ｓ2 の重ね合わせ面を圧着して折り返すことができる。
【００２２】
また、本発明のシート端部折返装置は、図３（ａ）に示す紙層１１と該紙層の表面又は裏面に重ね合わせラミネートされた合成樹脂フィルム層１３との複合素材による層構成であって、該シートＳの端部Ｓ1 に折目ａを介して連設された前記シート折返端部Ｓ2 が、前記紙層１１の表面に重ね合わせラミネートされた合成樹脂フィルム層１３を延設することにより形成されているシートＳの合成樹脂フィルム層１３のみからなるシート折返端部Ｓ2 や、図４（ａ）に示す紙層と、該紙層の表面又は裏面にコーティング又はラミネートされた合成樹脂層との複合素材による層構成のシートＳであって、該シートＳの端部Ｓ1 に折目ａを介して連設された折り返しすべきシート折返端部Ｓ2 が、前記紙層１１と合成樹脂層１２との複合素材を、該シート端部Ｓ1 の折目ａから連続して延設することにより形成されていて、その折目ａを挟んでシート端部Ｓ1 からシート折返端部Ｓ2 に亘る紙層１１には、層厚が略半分の厚さに薄く切削加工された切削部１１ａが設けられているシートＳのシート折返端部Ｓ2 を、直角折曲手段Ｃの直角折曲板３による、該シート折返端部Ｓ2 の上面側から下面側への垂直下向き方向の突出動作により、水平状態のシートＳのシート折返端部Ｓ2 を、折目ａを介して、確実に、略垂直方向の下向きに直角形状に折り曲げることができ、その後に直ちに、端部折返手段Ｄの水平折返板４によるシート折返端部Ｓ2 の外側から該シート折返端部Ｓ2 とシート端部Ｓ1 の下面に沿って該シートＳに平行に水平方向の突出動作により、直角形状に折り曲げられて略垂直下向きとなったシート折返端部Ｓ2 面を押し曲げながら、折目ａを介してシート端部Ｓ1 面側に、確実に折り返して重ね合わせることができる。
【００２３】
そして、続いて、圧着手段Ｂの上部圧着板１と下部圧着板２による垂直方向の突出動作により、前記端部折返手段Ｄの水平折返板４の突出状態の継続により折り返し重ね合わせ状態を保持した状態のシート端部Ｓ1 とシート折返端部Ｓ2 とを挟み込み、両シート端部Ｓ1 、Ｓ2 の重ね合わせ面を圧着して折り返すことができる。
【００２４】
このように、本発明のシート端部折返装置によれば、耐液性を付与した紙層１１による基材と合成樹脂層１２、あるいは紙層１１による基材と合成樹脂フィルム層１３などからなる複合材料のブランクシートＳとして、矩形状のブランクシートを角筒形状に折り曲げたり、円筒形状に丸めたり、あるいは扇形状のブランクシートを円錐台筒形状のカップ状に丸めたりして、その折り曲げたシート端部や丸めたシート端部を重ね合わせてヒートシールして、箱状、角筒状、円筒状、カップ状等に組み立て製函する際に使用するブランクシートＳを、角筒状に折り曲げたり、円筒状やカップ状に丸め、ヒートシールして、箱状、角筒状、円筒状、カップ状等の容器に組み立て製函する際に、容器内面側に配置されて液体と接することになるブランクシート端部Ｓ1 （端面、エッジ）部分に対して耐液性を付与するために、ブランクシートＳの合成樹脂層を外面にして、そのブランクシートＳのシート端部Ｓ1 の外側の折目ａより延設したシート折返端部Ｓ2 を、良好に折り返して重ね合わせることができ、必要に応じて、その重ね合わせ内面を貼着すことができ、エッジプロテクト処理におけるシート端部の折り返し加工の折り精度と、能率向上に効果的である。
【発明を実施するための最良の形態】
【００２５】
本発明のシート端部折返装置を、その実施の形態に基づいて以下に詳細に説明すれば、まず、本発明においてシート端部の折り返し加工を行う折り返し対象のシートＳは、容器製函用の矩形状シート、扇形状シートなどのブランクシートをはじめとして、各種の用途に用いられる各種形状のシートであって、図１（ａ）に示すように、紙層１１による単一素材による層構成であって、該シートＳの端部Ｓ1 に直線状の折目ａ（押し罫線が刻設されていない折目、又は押し罫線が刻設されている折目、又は折目線が印刷表示されていな
いもの、又は折目線が印刷表示されているもの等）を備えているものであり、その折目ａを介して連設された折り返しすべきシート折返端部Ｓ2 は、前記紙層１１の単一素材を、該シート端部Ｓ1 の前記折目ａから連続して延設することにより形成されているものである。
【００２６】
そして、本発明装置を用いて、図１（ｂ）に示すように、紙層１１の単一素材による層構成のシート折返端部Ｓ2 を、折目ａから折り返してシート端部Ｓ1 面に重ね合わせて、その重ね合わせ内面を必要に応じて貼着するものである。
【００２７】
また、本発明においてシート端部の折り返し加工を行う折り返し対象のシートＳは、図２（ａ）に示すように、紙層１１と、該紙層１１の表面又は裏面にコーティング又はラミネートされた合成樹脂層１２（又は合成樹脂フィルム層）との複合素材による層構成であって、該シートＳの端部Ｓ1 に折目ａを介して連設された折り返しすべきシート折返端部Ｓ2 は、前記紙層１１と合成樹脂層１３との複合素材を該シート端部Ｓ1 の外側の折目ａから連続して延設することにより形成されているものでよい。
【００２８】
そして、本発明装置を用いて、図２（ｂ）に示すように、紙層１１と合成樹脂層１２（又は合成樹脂フィルム層）との複合素材による層構成のシート折返端部Ｓ2 を、折目ａから折り返してシート端部Ｓ1 面に重ね合わせて、その重ね合わせ内面を必要に応じて貼着するものである。
【００２９】
また、本発明においてシート端部の折り返し加工を行う折り返し対象のシートＳは、図３（ａ）に示すように、紙層１１と、該紙層１１の表面又は裏面に重ね合わせラミネートされた接着剤層１４（シーラント層）をラミネート内面に必要に応じて備える合成樹脂フィルム層１３との複合素材による層構成であって、該シートＳの端部Ｓ1 に折目ａを介して連設されたシート折返端部Ｓ2 が、前記紙層１１に重ね合わせラミネートされた接着剤層１４（シーラント層）をラミネート内面に必要に応じて備える合成樹脂フィルム層１３のみを、該シート端部Ｓ1 の外側の折目ａから連続して延設することにより形成されていて、シート端部Ｓ1 の外側の折目ａに沿うシートＳのエッジプロテクトのためにシート折返端部Ｓ2 を該合成樹脂フィルム層１３により構成したものでもよい。
【００３０】
そして、本発明装置を用いて、図３（ｂ）に示すように、シート端部Ｓ1 の外側の折目ａから連続して延設された前記合成樹脂フィルム層１３によるシート折返端部Ｓ2 を、折目ａから折り返してシート端部Ｓ1 面に重ね合わせて、その重ね合わせ内面を必要に応じて接着剤層１４（シーラント層）にて貼着するものである。
【００３１】
また、本発明においてシート端部の折り返し加工を行う折り返し対象のシートＳは、図４（ａ）に示すように、紙層１１と、該紙層１１の表面又は裏面にコーティング又はラミネートされた合成樹脂層１２（又は合成樹脂フィルム層）との複合素材による層構成であって、該シートＳの端部Ｓ1 に折目ａを介して連設された折り返しすべきシート折返端部Ｓ2 は、前記紙層１１と合成樹脂層１２との複合素材を、該シート端部Ｓ1 の外側の折目ａから連続して延設することにより形成されていて、シートＳのエッジプロテクトのために、その折目ａを挟んでシート端部Ｓ1 からシート折返端部Ｓ2 に亘る紙層１１の層厚を略半分の厚さに薄く切削加工して切削部１１ａを設けたものであってもよい。
【００３２】
そして、本発明装置を用いて、図４（ｂ）に示すように、紙層１１と合成樹脂層１２（又は合成樹脂フィルム層）との複合素材による層構成のシート折返端部Ｓ2 を、折目ａから折り返してシート端部Ｓ1 面に重ね合わせ、互いにシート端部Ｓ1 とシート折返端部Ｓ2 の切削部１１ａ同士を重ね合わせて、その重ね合わせ内面を接着剤層にて貼着するものである。
【００３３】
本発明のシート端部折返装置の構造を以下に詳細に説明すれば、図５（ａ）の本発明装置の側面図、（ｂ）のそのＡ−Ａ上面図、（ｃ）のそのＢ−Ｂ正面図に示すように、水平載置手段Ａと、圧着手段Ｂと、直角折曲手段Ｃと、端部折返手段Ｄとを備えている。
【００３４】
図５（ａ）に示すように、水平載置手段Ａは、固体包装用紙器や液体包装用紙製容器などパッケージ関連製品の板紙製あるいは板紙とポリエチレン等のプラスチックフィルムとの複合による複合製のシート材料であるブランクシートや、印刷製本加工関連製品の製造に用いられる印刷シート等のシートＳを、そのシート端部Ｓ1 を突出させて水平に載置する。
【００３５】
圧着手段Ｂは、図５（ａ）、（ｂ）に示すように、前記シートＳのシート端部Ｓ1 の上下面に、互いに対向して対峙する上部圧着板１と下部圧着板２とを備え、各々上部圧着板１と下部圧着板２は、それぞれ直線往復動作するアクチュエータ（例えばエアーシリンダ）１ｄ、２ｄにて垂直方向に突出動作してシート端部Ｓ1 及び後述する該シート端部Ｓ1 面に折り返し後のシート折返端部Ｓ2 を圧着できるようになっている。
【００３６】
直角折曲手段Ｃは、図５（ａ）、（ｂ）に示すように、前記圧着手段Ｂに隣接して、前記シート端部Ｓ1 に仮想折目線としての折目ａを介して連設された、又は押し罫線状に型押し加工された折目ａを介して連設された、シート折返端部Ｓ2 の上面側に配置されていて、該シート折返端部Ｓ2 の上面側から下面側に、直線往復動作するアクチュエータ（例えばエアーシリンダ）３ｄにて垂直方向に突出動作して、該シート折返端部Ｓ2 を折目ａを介して直角に折り曲げる直角折曲板３を備えている。
【００３７】
なお、前記水平載置手段Ａの前方には、シートＳがシート端部Ｓ1 の外側の折目ａに沿って、圧着手段Ｂの下部圧着板２と直角折曲手段Ｃの直角折曲板３とによって折り曲げられるための適正な位置に整合するように、シートＳの前端縁を当接させてシートＳの位置決めをするための前当板５を備えている。
【００３８】
端部折返手段Ｄは、前記シート折返端部Ｓ2 の先端部より外側の該シート折返端部Ｓ2 の下面より下位に配置されていて、該シート折返端部Ｓ2 の外側から該折返端部Ｓ2 とシート端部Ｓ1 の下面に沿って、該シートＳに平行に、直線往復動作するアクチュエータ（例えばエアーシリンダ）４ｄにて水平方向に突出動作して、前記直角折曲手段Ｃの直角折曲板３によって直角に折り曲げられて先端が下向きとなった前記シート折返端部Ｓ2 を押し曲げながら、シートＳのシート端部Ｓ1 面に折り返し重ね合わせる水平折返板４を備える。
【００３９】
そして、前記圧着手段Ｂの上部圧着板１は下降動作し、下部圧着板２は上昇動作して、互いに突出動作し、前記端部折返手段Ｄの水平折返板４にて折り返され重ね合わせられたシート端部Ｓ1 とシート折返端部Ｓ2 との重ね合わせ面を、上部圧着板１と下部圧着板２とにより挟み付けて圧着して折り返しを完了する。
【００４０】
また、前記シート端部Ｓ1 とシート折返端部Ｓ2 との重ね合わせ内面に、例えば、接着材（感熱接着剤、感圧粘着剤、溶媒揮散型接着剤など）が予め施されている場合には、その重ね合わせ内面が上部圧着板１と下部圧着板２とによる挟み付け圧着により接着され折り返しを完了するものである。
【００４１】
なお、図５（ｃ）に示すように、前記圧着手段Ｂの垂直方向に動作する下部圧着板２には、図５（ａ）、（ｂ）に示す下部圧着板２が、前記上部圧着板１との間で前記シート端部Ｓ1 を圧着するために垂直方向に上昇動作している間に、該シート折返端部Ｓ2 の外側
から、該シート折返端部Ｓ2 とシート端部Ｓ1 の下面に沿って、該シートＳに平行に水平方向に突出動作する前記端部折返手段Ｄの水平折返板４が嵌入可能な空間部２ａが形成されている。
【００４２】
また、図５（ｃ）に示すように、前記直角折曲手段Ｃの垂直方向に動作する直角折曲板３には、該直角折曲板３が前記シート折返端部Ｓ2 を折目ａを介して直角に折り曲げるために前記シート折返端部Ｓ2 の上面側から下面側に垂直方向に突出動作している間に、該シート折返端部Ｓ2 の外側から、該シート折返端部Ｓ2 とシート端部Ｓ1 の下面に沿って該シートＳに平行に水平方向に突出動作する前記端部折返手段Ｄの水平折返板４が嵌入可能な空間部３ａが形成されている。
【００４３】
前記圧着手段Ｂの下部圧着板２及び前記直角折曲手段Ｃの直角折曲板３と、前記端部折返手段Ｄの水平折返板４とは、互いに直交方向に交差動作するため、それぞれの板の形状構造は、上記のような動作を行う機能を備えたものであれば、特に限定されるものではないが、例えば、前記端部折返手段Ｄの水平折返板４の形状構造に因って、前記圧着手段Ｂの下部圧着板２及び前記直角折曲手段Ｃの直角折曲板３は、下記のような形状構造となっている。
【００４４】
例えば、上記水平方向に突出動作する前記端部折返手段Ｄの水平折返板４が、図５（ｂ）の上面図に示すように二本の櫛刃４ｂ、４ｂからなり、その間に空間部４ａを設けた構造の場合には、前記圧着手段Ｂの下部圧着板２は、図５（ｃ）のＢ−Ｂ正面図に示すように、三本の櫛刃２ｂ、２ｂ、２ｂからなり、その間に前記二本の櫛刃４ｂ、４ｂが嵌入する空間部２ａ、２ａを設けた構造になっている。
【００４５】
また、前記直角折曲手段Ｃの直角折曲板３は、図５（ｃ）のＢ−Ｂ正面図に示すように、三本の櫛刃３ｂ、３ｂ、３ｂからなり、その間に前記二本の櫛刃４ｂ、４ｂが嵌入する空間部３ａ、３ａを設けた構造になっている。なお、前記圧着手段Ｂの上部圧着板１は、端部折返手段Ｄの水平折返板４とは交差動作しないため、図５（ａ）、（ｃ）に示すように、空間部を設けない圧着用の平坦な下端面を備えた通常プレート構造としてもよいし、前記下部圧着板２のような櫛刃形状構造であってもよい。
【００４６】
このように、端部折返手段Ｄの水平折返板４の櫛刃４ｂの本数が、例えば、ｎ本（１≦ｎ）の場合には、前記圧着手段Ｂの下部圧着板２の櫛刃２ｂの本数は（ｎ＋１）本、前記直角折曲手段Ｃの直角折曲板３の櫛刃３ｂの本数も（ｎ＋１）本となる。
【００４７】
次に、本発明のシート端部折返装置によるシートＳの折り返し動作順序を、図５〜図１０に従って以下に詳細に説明する。
【００４８】
図５（ａ）、（ｂ）、（ｃ）に示すように、固体包装用紙器や液体包装用紙製容器などパッケージ関連製品や、印刷製本加工関連製品の製造に用いられるシート材料であるシートＳの一端のシート端部Ｓ1 に折目ａを介してシート折返端部Ｓ2 を連設した該シートＳを、水平載置手段Ａ上に、そのシート端部Ｓ1 を突出させて水平に載置する。
【００４９】
続いて、本発明のシート端部折返装置本体をボタンの押圧等にて始動させると、図６（ａ）の側面図、図６（ｂ）の上面図に示すように、前記シートＳのシート端部Ｓ1 の上下面に互いに対向する圧着手段Ｂの上部圧着板１と下部圧着板２とが、該シート端部Ｓ1 の上下面に互いに垂直方向に突出動作して、該シートＳを圧着固定した後、直角折曲手段Ｃの直角折曲板３が、該シート折返端部Ｓ2 の上面側から下面側に垂直方向に突出（下降）動作して、該シート折返端部Ｓ2 を、該折返端部Ｓ2 の先端を下向きにして、折目ａを介して直角方向に折り曲げ、その後、圧着手段Ｂの上部圧着板１と下部圧着板２とが互いに
垂直方向に復帰動作してシート端部Ｓ1 の圧着を解除する。
【００５０】
続いて、図７（ａ）の側面図、図７（ｂ）の上面図に示すように、端部折返手段Ｄの水平折返板４が、垂直方向に突出（下降）動作している直角折曲板３に対して交差するように、該シート折返端部Ｓ2 の外側から該折返端部Ｓ2 とシート端部Ｓ1 の下面に沿って、該シートＳに平行に水平方向に突出動作し、水平折返板４の櫛刃４ｂが直角折曲板３の空間部３ａ内に嵌入し、該水平折返板４の櫛刃４ｂが、前記直角折曲板３によって直角に折り曲げられて先端が下向きとなっている前記シート折返端部Ｓ2 を押し曲げながら、該シートＳのシート端部Ｓ1 面に折り返し重ね合わせる。
【００５１】
続いて、図８（ａ）の側面図、（ｂ）の上面図に示すように、圧着手段Ｂの上部圧着板１と下部圧着板２とが、該シート端部Ｓ1 とシート折返端部Ｓ2 との折り返し重ね合わせ部分の上下面に互いに垂直方向に突出動作して、折り返され重ね合わせられたシート端部Ｓ1 とシート折返端部Ｓ2 との重ね合わせ面を挟み込み圧着して折り返しを完了する。また、前記シート端部Ｓ1 とシート折返端部Ｓ2 との重ね合わせ内面に、例えば、接着材（感熱接着剤、感圧粘着剤、溶媒揮散型接着剤など）が予め施されている場合には、その重ね合わせ内面が上部圧着板１と下部圧着板２とによる挟み付け圧着により接着され、折り返しを完了する。
【００５２】
同時に、図９（ａ）の側面図、（ｂ）の上面図に示すように、前記直角折曲手段Ｃの直角折曲板３が上昇して上方に復帰動作し、また、端部折返手段Ｄの水平折返板４が、圧着手段Ｂの下部圧着板２との交差部分から離反する方向に水平移動して復帰動作する。
【００５３】
また、図１０（ａ）の側面図、（ｂ）の上面図に示すように、圧着手段Ｂの上部圧着板１と下部圧着板２とが垂直方向に離反動作して復帰動作して、シートＳのシート端部の折り返し動作の１サイクル動作を終了する。
【図面の簡単な説明】
【００５４】
【図１】（ａ）〜（ｂ）は本発明のシート端部折返装置を用いて折り返すシートの形態の一例を説明する側断面図。
【図２】（ａ）〜（ｂ）は本発明のシート端部折返装置を用いて折り返すシートの形態の他の例を説明する側断面図。
【図３】（ａ）〜（ｂ）は本発明のシート端部折返装置を用いて折り返すシートの形態のその他の例を説明する側断面図。
【図４】（ａ）〜（ｂ）は本発明のシート端部折返装置を用いて折り返すシートの形態のその他の例を説明する側断面図。
【図５】（ａ）は本発明のシート端部折返装置の側面図、（ｂ）はそのＡ−Ａ上面図、（ｃ）はそのＢ−Ｂ正面図。
【図６】（ａ）は本発明のシート端部折返装置の動作順序を説明する側面図、（ｂ）はそのＡ−Ａ上面図。
【図７】（ａ）は本発明のシート端部折返装置の動作順序を説明する側面図、（ｂ）はそのＡ−Ａ上面図。
【図８】（ａ）は本発明のシート端部折返装置の動作順序を説明する側面図、（ｂ）はそのＡ−Ａ上面図。
【図９】（ａ）は本発明のシート端部折返装置の動作順序を説明する側面図、（ｂ）はそのＡ−Ａ上面図。
【図１０】（ａ）は本発明のシート端部折返装置の動作順序を説明する側面図、（ｂ）はそのＡ−Ａ上面図。
【符号の説明】
【００５５】
Ａ…水平載置手段  
Ｂ…圧着手段  
Ｃ…直角折曲手段  
Ｄ…端部折返手段
Ｓ…シート  
Ｓ1 …シート端部  
Ｓ2 …シート折返端部  
ａ…折目
１…上部圧着板  
２…下部圧着板  
３…直角折曲板  
４…水平折返板  
５…前当板
【図１】
2006056182.tif 000003
【図２】
2006056182.tif 000004
【図３】
2006056182.tif 000005
【図４】
2006056182.tif 000006
【図５】
2006056182.tif 000007
【図６】
2006056182.tif 000008
【図７】
2006056182.tif 000009
【図８】
2006056182.tif 000010
【図９】
2006056182.tif 000011
【図１０】
2006056182.tif 000012